(57)【要約】【課題】被検者の左右眼それぞれに接眼部を好適に当接できるようにすることを目的とする。【解決手段】眼科測定装置１００は、被検眼Ｅを測定する測定部１２と、測定部１２を収容し、手持ち用の保持部２１を有する本体部２０と、測定部１２の測定光軸Ｏ２に対して左右非対称に形成され、被検眼Ｅの周辺に当接する接眼部１１と、を有し、接眼部１１は、検者の選択により被検眼Ｅの右眼および左眼の何れか一方の周辺に当接可能である。【選択図】図３
2015229022.tif 000002
【特許請求の範囲】
【請求項１】
被検眼を測定する測定部と、
前記測定部を収容し、手持ち用の保持部を有する本体部と、
前記測定部の測定光軸に対して左右非対称に形成され、被検眼の周辺に当接する接眼部と、を有し、
前記接眼部は、検者の選択により被検眼の右眼および左眼の何れか一方の周辺に当接可能であることを特徴とする眼科測定装置。
【請求項２】
前記接眼部は、前記本体部に対して回動可能または左右にスライド可能であることを特徴とする請求項１に記載の眼科測定装置。
【請求項３】
前記接眼部の位置を検知する位置検知手段と、
前記測定部により撮影された被検眼の画像と、前記位置検知手段により検知された前記接眼部の位置と、を関連付けて記録する記録手段と、を有することを特徴とする請求項１または２に記載の眼科測定装置。
【請求項４】
前記測定部により撮影された被検眼の画像を表示する表示手段を有し、
前記表示手段は、前記位置検知手段により検知された前記接眼部の位置に基づいて被検眼の画像の右眼または左眼の識別を表示することを特徴とする請求項３に記載の眼科測定装置。
【請求項５】
前記位置検知手段により検知された前記接眼部の位置に基づいて被検眼が右眼または左眼かを検者に入力させる入力手段を有することを特徴とする請求項３に記載の眼科測定装置。
【請求項６】
前記測定部により撮影された被検眼の画像を表示する表示手段を有し、
前記表示手段は、前記位置検知手段により検知された前記接眼部の位置と、前記入力手段により入力された情報とに基づいて右方向または左方向に回転して表示することを特徴とする請求項５に記載の眼科測定装置。
【請求項７】
該眼科測定装置の姿勢を検知する姿勢検知手段と、
前記記録手段は、前記姿勢検知手段により検知された該眼科測定装置の姿勢に基づいて、前記測定部により撮影された被検眼の画像と、仰臥する被検者に対して撮影した旨の情報と、を関連付けて記録することを特徴とする請求項３ないし６の何れか１項に記載の眼科測定装置。
【請求項８】
被検眼を測定する測定部と、
前記測定部を収容し、手持ち用の保持部を有する本体部と、
前記測定部の測定光軸に対して左右非対称に形成され、被検眼の周辺に当接する接眼部と、を有し、
前記接眼部は、検者の選択により前記本体部に対して回動または左右にスライドされることで、被検眼の右眼および左眼の何れか一方の周辺に当接可能である眼科測定装置の制御方法であって、
前記接眼部の位置を検知する位置検知ステップと、
前記測定部により撮影された被検眼の画像と、前記位置検知ステップにより検知された前記接眼部の位置と、を関連付けて記録する記録ステップと、を有することを特徴とする眼科測定装置の制御方法。
【請求項９】
被検眼を測定する測定部と、
前記測定部を収容し、手持ち用の保持部を有する本体部と、
前記測定部の測定光軸に対して左右非対称に形成され、被検眼の周辺に当接する接眼部と、を有し、
前記接眼部は、検者の選択により前記本体部に対して回動または左右にスライドされることで、被検眼の右眼および左眼の何れか一方の周辺に当接可能である眼科測定装置を制御するためのプログラムであって、
前記接眼部の位置を検知する位置検知ステップと、
前記測定部により撮影された被検眼の画像と、前記位置検知ステップにより検知された前記接眼部の位置と、を関連付けて記録する記録ステップとをコンピュータに実行させるためのプログラム。
【発明の詳細な説明】
【技術分野】
【０００１】
本発明は、被検眼を測定する眼科測定装置などに関する。
【背景技術】
【０００２】
被検眼を測定する眼科測定装置には、いわゆる据え置き型と、いわゆる手持ち型とが知られている。
据え置き型の眼科測定装置は、装置本体を設置面に載置するためのスタンドと、スタンド上を前後左右方向にスライド可能にした架台と、架台に連接し各種光学系および撮像系を格納した測定部と、被検者の顎や額を位置決めする顎受け台・額当てなどを有する。据え置き型の眼科測定装置における架台の左右方向のスライド移動は、主として、被検者の左右眼を切り換えて測定するためのものである。したがって、据え置き型の眼科測定装置では、測定している被検眼が右眼であるか左眼であるかを、測定部がスタンドの中心に対して左右の何れに位置しているかを検知することにより判別することができる。
【０００３】
一方、手持ち型の眼科測定装置はスタンドや架台を備えていないために、据え置き型の眼科測定装置のようには左右眼を判別することができない。このような問題に対して、特許文献１に開示された眼科機器は、右眼を遮蔽できる位置と左眼を遮蔽できる位置とに移動可能な遮蔽板を有し、本体内部に設けられたスイッチによって測定している被検眼が右眼であるか左眼であるかを判別する。
【０００４】
また、特許文献２の左右眼判定機能付き検眼装置は、検眼部の両側から照明光を照射する２つの照明手段と、２つの照明手段の間に配置され、２つの照明手段が照射する照明光が被検者の顔面で反射した２つの反射光を受光する受光手段とを有する。受光手段は２つの反射光の光量をそれぞれ検出し、検出した２つの反射光の光量により測定している被検眼が右眼であるか左眼であるかを判別する。
【先行技術文献】
【特許文献】
【０００５】
【特許文献１】特開平７−２４６１８８号公報
【特許文献２】特開平８−２５６９８４号公報
【発明の概要】
【発明が解決しようとする課題】
【０００６】
上述した特許文献を含む従来の眼科測定装置では、被検眼が右眼であるか左眼であるかを判別できたとしても右眼および左眼に対して同じ形状の接眼部（いわゆるアイカップ）を用いるために、接眼部を好適に被検者の顔に当接することが困難である。すなわち、右眼と左眼とでは「目（目頭）から鼻にかけて」と「目（目尻）から耳にかけて」の位置が逆になるが、一般に目（目頭）から鼻にかけての長さは目（目尻）から耳にかけての長さよりも短い。また、前方を見たときの視線方向に対する面（顔面）の角度も異なる。したがって、例えば、左眼の周辺に好適に当接できる形状の接眼部をそのまま右眼の周辺に当接した場合には、寸法および角度にずれを生じてしまう。
【０００７】
本発明は、上述したような問題点に鑑みてなされたものであり、被検者の左右眼それぞれの周辺に接眼部を好適に当接できるようにすることを目的とする。
【課題を解決するための手段】
【０００８】
本発明の眼科測定装置は、被検眼を測定する測定部と、前記測定部を収容し、手持ち用の保持部を有する本体部と、前記測定部から照射される光の光軸に対して左右非対称に形成され、被検眼の周辺に当接する接眼部と、を有し、前記接眼部は、検者の選択により被検眼の右眼の周辺および左眼の周辺に当接可能であることを特徴とする。
【発明の効果】
【０００９】
本発明によれば、被検者の左右眼それぞれの周辺に接眼部を好適に当接させることができる。
【図面の簡単な説明】
【００１０】
【図１】本実施形態の眼科測定装置の概略の構成を示す図である。
【図２】本実施形態の眼科測定装置の外観を示す斜視図である。
【図３】本実施形態の眼科測定装置の使用態様の一例を示す図である。
【図４】接眼部が回動している状態を示す図である。
【図５】接眼部がスライドしている状態を示す図である。
【図６】第１の実施形態の眼科測定装置の処理を示すフローチャートである。
【図７】本実施形態の眼科測定装置を仰臥位の被検者に使用している状態を示す図である。
【図８】第２の実施形態の眼科測定装置の処理を示すフローチャートである。
【図９】仰臥する被検者の側面から測定している状態を示す図である。
【図１０】接眼部の位置と検者による右眼・左眼の入力と、画像の回転方向との対応付けを示す図である。
【発明を実施するための形態】
【００１１】
以下、本発明に係る実施形態について図面を参照して説明する。
＜第１の実施形態＞
図１は、本実施形態に係る眼科測定装置１００の概略の構成を示す図である。
眼科測定装置１００は、接眼部１１、測定部１２、制御部１３、表示部１４などを有している。
【００１２】
接眼部１１は、測定部１２と被検眼Ｅとの距離を一定に保つために、被検者の顔に当接される、いわゆるアイカップである。接眼部１１は、ある程度の弾力性を有する素材によって形成することができる。この場合、接眼部１１を被検者の顔に当接したときに、眼科測定装置１００の位置・角度が安定し易い上、当接による被検者の痛みが軽減される。また、接眼部１１は、空隙を形成したり透明素材によって形成したりすることができる。この場合、検者が被検眼を視認しながら接眼部１１を当接できることから、眼科測定装置１００と被検眼との位置ずれの防止または軽減を図ることができる。また、接眼部１１は、遮光性を有する素材によって形成することができる。この場合、被検眼を外部光から遮ることができる。
【００１３】
測定部１２は、赤外ＬＥＤ光源２０１、白色ＬＥＤ光源２０２、コンデンサＣ、照明光路Ｏ１、測定光軸Ｏ２、リングスリット２０５、照明リレーレンズ２０７、照明リレーレンズ２０９、スプリットユニット２０８、穴あきミラー２１０を有する。また、測定部１２は、対物レンズ２１１、フォーカスレンズ２１３、撮像素子２１７、前眼観察用レンズ２２０、接眼部位置センサ２２１、姿勢センサ２２２などを有する。
【００１４】
赤外ＬＥＤ光源２０１は、被検者の眼底を赤外観察する場合の光源である。白色ＬＥＤ光源２０２は、被検者の眼底を可視撮影する場合の光源である。赤外ＬＥＤ光源２０１および白色ＬＥＤ光源２０２は、駆動部Ｍ４により照明光路Ｏ１上に挿脱される。
リングスリット２０５は、赤外ＬＥＤ光源２０１または白色ＬＥＤ光源２０２からの照明光をリング照明にするためのマスクである。リング照明は照明リレーレンズ２０７と、照明リレーレンズ２０９とによって、被検眼Ｅに結像する。
コンデンサＣは、白色ＬＥＤ光源２０２へ電源を供給する。コンデンサＣに蓄えられる電荷の量は、撮影モードによって異なり、撮影モードが変更される度に適切な充放電をする。この充放電の制御は、制御部１３により行われる。
【００１５】
スプリットユニット２０８は、フォーカス指標を投影するための光源と、観察時に照明光路Ｏ１に進入し図中矢印方向に移動することでフォーカス指標を光軸方向に移動させる移動機構と、撮影時に照明光路Ｏ１から退避させる進退機構と、を備える。スプリット駆動モーターＭ１はスプリットユニット２０８を駆動してフォーカス指標の焦点位置を合わせ、かつ、スプリット位置検知部Ｓ１はその停止位置を検出する。また、駆動部Ｍ５はスプリットユニット２０８を図中矢印方向に駆動させ、位置検知部Ｓ６および位置検知部Ｓ７はその際の位置を検出する。
穴あきミラー２１０は、中心に穴があいた全反射ミラーである。穴あきミラー２１０は、リング照明を穴あきミラー２１０の外周のミラーによって反射し、撮影光を穴あきミラー２１０の中央の穴から透過する。穴あきミラー２１０を通ったリング照明は対物レンズ２１１によって被検眼Ｅで結像して、被検眼Ｅを照明する。被検眼Ｅからの反射光は、対物レンズ２１１を通って穴あきミラー２１０の中心に結像される。測定光軸Ｏ２は、被検者の被検眼Ｅから撮像素子２１７に至る光軸である。
【００１６】
前眼観察用レンズ２２０が測定光軸Ｏ２内に挿入されると、前眼を観察できる。一方、前眼観察用レンズ２２０が測定光軸Ｏ２内に挿入されていない場合には、眼底を観察できる。前眼観察用レンズ２２０の測定光軸Ｏ２に対する挿脱は、前眼観察レンズ駆動モーターＭ３と、前眼観察レンズ位置検知部Ｓ４とを用いて行われる。前眼観察用レンズ２２０の挿脱の切替制御は制御部１３が行う。
フォーカスレンズ２１３は、穴あきミラー２１０の中央の穴を通過した撮影光束の焦点調節を行うためのレンズであり、図中矢印方向に移動することで焦点調節を行う。フォーカスレンズ駆動モーターＭ２は、制御部１３からのパルスによりフォーカスレンズ２１３を駆動する。位置検知部Ｓ２は、フォーカスレンズ２１３の位置を検出する。
撮像素子２１７は、撮影光を光電変換する。光電変換された電気信号は制御部１３によってデジタルデータに変換される。赤外観察時には観察像が表示部１４に表示され、撮影時には後述するメモリ１３２または図示しない記録媒体に記録される。デジタルデータは通信伝達手段などを通じて送信してもよい。
【００１７】
接眼部位置センサ２２１は、接眼部１１と測定部１２とが連接する部分に配置され、測定部１２を収容する、後述の本体部２０に対する接眼部１１の位置（回動角度またはスライド位置）を検知する。接眼部位置センサ２２１は、位置検知手段の一例に対応する。
姿勢センサ２２２は、例えば、３軸方向の角速度を計測するためのジャイロセンサと３軸方向の加速度を計測するための加速度センサの組み合わせによって構成された３軸姿勢センサである。姿勢センサ２２２は、眼科測定装置１００の姿勢、とりわけ重力方向の鉛直軸に対する測定光軸Ｏ２の方向を検知する。姿勢センサ２２２は、姿勢検知手段の一例に対応する。
【００１８】
制御部１３は、駆動部Ｍ１〜駆動部Ｍ５の駆動制御、検知部Ｓ１〜検知部Ｓ７の制御、ユーザインターフェースからの入力に基づく制御、画像データ処理、撮影画像の表示部１４への表示などの制御を行う。また、制御部１３は、接眼部位置センサ２２１が検知した接眼部１１の位置の情報や、姿勢センサ２２２が検知した眼科測定装置１００の姿勢の情報を受信する。
制御部１３は、ＣＰＵ１３１、メモリ１３２を含んで構成される。ＣＰＵ１３１が例えばメモリ１３２に記憶されたプログラムを実行することで各種の駆動制御、検知制御、データ処理、データ入出力、表示制御が実現される。
表示部１４は、例えば液晶ディスプレイを用いることができる。表示部１４は、制御部１３の表示制御により測定中の被検眼像やメモリ１３２に記憶された被検眼像などを表示する。なお、表示部１４は、被検者氏名、年齢、性別、左右眼の別などのデータを被検眼像に重畳して表示したり、単独で表示したりする。また、表示部１４の表示面（ディスプレイ面）にタッチパネルを一体で構成し、検者の操作・入力を行うユーザインターフェースとしてもよい。
【００１９】
図２は、本実施形態に係る眼科測定装置１００の外観を示す斜視図である。
図２に示すように、眼科測定装置１００は外観構成において、接眼部１１、測定部１２と制御部１３とを収容する本体部２０、表示部１４などを有する。図２において、Ｏ２は測定光軸（以下、光軸Ｏ２という）であり、Ａは眼科測定装置１００の本体部２０の中心垂直軸（以下、垂直軸Ａという）である。
【００２０】
接眼部１１は、本体部２０の光軸Ｏ２方向における一方側の端部に設けられる。接眼部１１は、眼科測定装置１００を被検眼Ｅの顔、具体的には被検眼Ｅの周辺に当接される。接眼部１１は、略円筒状の連結部１１１を介して本体部２０に連接される。本実施形態の接眼部１１は、長手方向を左右（光軸Ｏ２および垂直軸Ａと直交する方向）とする略長円形または略楕円形であって、光軸Ｏ２に対して左右非対称の形状に形成される。
ここで、接眼部１１のうち長手方向における一方側の端部をＣｌとし、他方側の端部をＣｓとし、光軸Ｏ２から端部Ｃｌまでの距離Ｌ１と光軸Ｏ２から端部Ｃｓまでの距離Ｌ２とを比較すると、距離Ｌ１＞距離Ｌ２である。また、本体部２０から光軸Ｏ２方向に沿った端部Ｃｌまでの距離Ｄ１と、本体部２０から光軸Ｏ２方向に沿った端部Ｃｓまでの距離Ｄ２とを比較すると、距離Ｄ１＞距離Ｄ２である。
【００２１】
ここで、図２に示す接眼部１１の状態では、被検者の右眼に好適に当接することができる。一方、図２に示す接眼部１１の状態で、被検者の左眼に当接させた場合には、被検者の視線方向に光軸Ｏ２を合わせることが困難となるなどの不都合を生じる。そのため、本実施形態では、接眼部１１が検者の選択により右眼および左眼の何れか一方の周辺に当接可能に構成されている。すなわち、接眼部１１は、例えば距離Ｌ１＜距離Ｌ２、距離Ｄ１＜距離Ｄ２となるように、本体部２０に対して回動可能または左右にスライド可能に構成される。具体的に、接眼部１１を回動またはスライドさせる動作について図３〜図５を参照して後述する。
【００２２】
本体部２０は、光軸Ｏ２に対して直交する方向に長い略柱状（軸状）に形成される。本体部２０は、検者の手で眼科測定装置１００を保持することができる手持ち用の保持部２１を有する。保持部２１は、本体部２０の軸線方向に沿って形成される。
表示部１４は、本体部２０の光軸Ｏ２方向における他方側の端部に設けられる。表示部１４は、略矩形の平板状に形成される。表示部１４は、光軸Ｏ２と交差する位置に配置されている。
図２では、本体部２０の表示部１４側を眼科測定装置１００の上側Ｕとし、本体部２０の保持部２１側を眼科測定装置１００の下側Ｌとしている。
なお、接眼部位置センサ２２１は、例えば接眼部１１と本体部２０とが連接する部分など、接眼部１１の位置を検知できる外観に表れない位置に配置される。また、姿勢センサ２２２は、本体部２０内の外観に表れない位置に配置される。
【００２３】
図３は、眼科測定装置１００の使用態様の一例を示す図である。図３（ａ）は接眼部１１を右眼（Ｅｒ）の周辺に当接させた状態を示し、図３（ｂ）は接眼部１１を左眼（Ｅｌ）の周辺に当接させた状態を示している。接眼部１１は検者の選択により図３（ａ）のように右眼の周辺に当接可能な状態、および、図３（ｂ）のように左眼の周辺に当接可能な状態に切り換えることができる。
【００２４】
まず、接眼部１１が本体部２０に対して回動可能な構成について、被検者側から見た図４を参照して説明する。
図４（ａ）は接眼部１１が右眼の周辺に当接可能な状態を示す図であり、距離Ｌ１＞距離Ｌ２の状態である。図４（ｂ）は接眼部１１を光軸Ｏ２を中心にして矢印方向に回動させている状態を示す図である。図４（ｃ）は接眼部１１が回動され、左眼の周辺に当接可能な状態を示す図であり、距離Ｌ１＜距離Ｌ２の状態である。
このように、接眼部１１を光軸Ｏ２を中心に回動可能に構成することで、接眼部１１が光軸Ｏ２に対して左右非対称であっても、右眼および左眼の何れの周辺にも好適に当接させることができる。したがって、被検者の顔に対して装置を安定して保つことができ、遮光性を向上させることができる。
【００２５】
次に、接眼部１１が本体部２０（より具体的には連結部１１１）に対してスライド可能な構成について図５を参照して説明する。図５では、被検者側から見た図と、眼科測定装置１００の上側から見た図とを並べて示している。
図５（ａ）は接眼部１１が右眼の周辺に当接可能な状態を示す図であり、距離Ｌ１＞距離Ｌ２の状態である。図５（ｂ）は接眼部１１を光軸Ｏ２および垂直軸Ａと直交する方向である矢印方向（左右方向）にスライドさせている状態を示す図である。図５（ｃ）は接眼部１１がスライドされ、左眼の周辺に当接可能な状態を示す図であり、距離Ｌ１＜距離Ｌ２の状態である。なお、図５（ａ）〜図５（ｃ）に示すように、接眼部１１をスライド可能に構成するために、接眼部１１にはスライド方向に沿った長孔１１２が形成される。
このように、接眼部１１を左右方向にスライド可能に構成することで、接眼部１１が光軸Ｏ２に対して左右非対称であっても、右眼および左眼の何れの周辺にも好適に当接させることができる。したがって、被検者の顔に対して装置を安定して保つことができる。
【００２６】
なお、接眼部位置センサ２２１は接眼部１１の位置、具体的には回動角度またはスライド位置を検知する。したがって、制御部１３は、接眼部位置センサ２２１が検知した位置の情報に基づいて、接眼部１１が右眼の周辺に当接可能な位置（図４（ａ）、図５（ａ））であるか、左眼の周辺に当接可能な位置（図４（ｃ）、図５（ｃ））であるかを判定することができる。すなわち、制御部１３は撮影した被検眼Ｅが右眼であるか左眼であるかを判定することができる。
【００２７】
図６は、本実施形態に係る眼科測定装置１００において、被検眼Ｅを測定する場合の制御部１３による処理を示すフローチャートである。このフローチャートの処理は、制御部１３のＣＰＵ１３１がメモリ１３２または記録媒体に記録されたプログラムを実行することにより実現される。
ステップＳ６０１では、制御部１３は検者により眼科測定装置１００の電源が投入されると、測定部１２を介して被検眼Ｅの前眼部を撮影する。なお、眼科測定装置１００の電源が投入され、接眼部１１を被検眼Ｅの周囲に当接させた直後は前眼観察用レンズ２２０が光軸Ｏ２に挿入される。
ステップＳ６０２では、制御部１３は検者により測定開始が指示されか否かを判定する。
ステップＳ６０３では、制御部１３は前眼部観察像を解析する。
ステップＳ６０４では、制御部１３は被検眼Ｅの瞳孔像が撮影されている映像の略中央にあるか否かを判定する。被検眼Ｅの瞳孔像が略中央の場合にはステップＳ６０５に進み、被検眼Ｅの瞳孔像が略中央ではない場合にはステップＳ６０３に戻る。
【００２８】
ステップＳ６０５では、制御部１３は前眼観察用レンズ２２０を光軸Ｏ２から抜去する。
ステップＳ６０６では、制御部１３はフォーカス指標を投影する。
ステップＳ６０７では、制御部１３はフォーカス指標およびフォーカスレンズ２１３を移動させる。
ステップＳ６０８では、制御部１３は合焦したか否かを判定する。合焦した場合にはステップＳ６０９に進み、合焦していない場合にはステップＳ６０７に戻る。
【００２９】
ステップＳ６０９では、制御部１３はフォーカス指標を照明光路Ｏ１から退避させる。
ステップＳ６１０では、制御部１３は赤外ＬＥＤ光源２０１または白色ＬＥＤ光源２０２を発光させる。
ステップＳ６１１では、制御部１３は撮影している被検眼Ｅの静止画像を画像データとしてメモリ１３２または記録媒体に記録する。
【００３０】
ステップＳ６１２では、制御部１３は接眼部位置センサ２２１が検知した接眼部１１の位置の情報を受信する。
ステップＳ６１３では、制御部１３は接眼部１１の位置の情報をメモリ１３２または記録媒体に記録した画像データに関連付けて記録し、測定を終了する。
このように、接眼部１１の位置の情報と画像データとを関連付けて記録することで、制御部１３が画像データを表示する場合に画像データと共に、接眼部１１の位置の情報も表示部１４に表示することができる。具体的には、制御部１３は接眼部１１の位置の情報に基づいて画像データが右眼または左眼であるかを判定し、画像データと共に、判定した右眼または左眼の識別を表示部１４に表示する。したがって、検者は記録された画像データが右眼または左眼の何れであるかを識別することができる。
【００３１】
＜第２の実施形態＞
次に、第２の実施形態では、仰臥位の被検者の被検眼Ｅを測定する場合について説明する。
図７は、眼科測定装置１００を仰臥位の被検者に使用している状態を示す図である。
図７（ａ）では検者が仰臥する被検者に対し、保持部２１を被検者の腹部の方向にした状態で接眼部１１を被検者の顔に当接させている。この場合、本体部２０に対する接眼部１１の位置が、座位または立位の被検者に対して測定する場合と同様である。したがって、制御部１３では、上述した第１の実施形態と同様に、被検眼Ｅが右眼あるいは左眼であるかを判定することができる。
一方、図７（ｂ）では、検者は仰臥する被検者に対し、保持部２１を被検者の側面方向にした状態で接眼部１１を被検者の顔に当接させている。この場合、本体部２０に対する接眼部１１の位置が、座位または立位の被検者に対して測定する場合の位置に対して略９０°回転した状態である。また、その回転方向は被検者の右側面から当接させる場合と左側面から当接させる場合で逆方向となるため、本体部２０に対する接眼部１１の位置に基づいて被検眼Ｅが右眼か左眼かの判定をすることはできない。
【００３２】
そこで、本実施形態では、接眼部１１の長手方向が垂直軸Ａと略平行となる位置にある場合（図７（ｂ））、制御部１３は右眼または左眼の何れを測定しているかを検者に入力させるものとする。また、制御部１３は表示部１４に表示する被検眼Ｅの画像などを右方向または左方向に回転して表示する。
【００３３】
図８は、本実施形態に係る眼科測定装置１００において、被検眼Ｅを測定する場合の制御部１３による処理を示すフローチャートである。このフローチャートの処理は、制御部１３のＣＰＵ１３１がメモリ１３２または記録媒体に記録されたプログラムを実行することにより実現される。
ステップＳ８０１では、制御部１３は検者により眼科測定装置１００の電源が投入されると、測定部１２を介して被検眼Ｅの前眼部を撮影する。
ステップＳ８０２では、制御部１３は検者により測定開始が指示されたか否かを判定し、測定開始が指示された場合にはステップＳ８０３に進む。
ステップＳ８０３では、制御部１３は図６のステップＳ６０３〜ステップＳ６１１と同様の処理を行う。すなわち、制御部１３はオート・アライメント、オート・フォーカス、オート・シュートを行い、被検眼Ｅの静止画像を画像データとしてメモリ１３２または記録媒体に記録する。
【００３４】
ステップＳ８０４では、制御部１３は接眼部位置センサ２２１が検知した接眼部１１の位置の情報を受信する。
ステップＳ８０５では、制御部１３は接眼部１１の位置の情報に基づいて接眼部１１の向きを判定する。具体的には、制御部１３は接眼部１１の長手方向の向きが本体部２０の垂直軸Ａに対して略平行であるか、あるいは略垂直であるかを判定する。接眼部１１の向きが垂直軸Ａに対して略平行の場合にはステップＳ８０６に進み、接眼部１１の向きが垂直軸Ａに対して略垂直の場合にはステップＳ８１４に進む。ステップＳ８１４では、第１の実施形態のステップＳ６１３と同様の処理を行い、測定を終了する。
【００３５】
一方、ステップＳ８０６では、制御部１３は検者に対して右眼または左眼の入力を促す。具体的には、制御部１３は表示部１４に「右眼・左眼の別を入力してください」などのメッセージを表示して、検者に右眼または左眼の入力を促す。
ステップＳ８０７では、制御部１３は検者によるユーザインターフェースを介した右眼または左眼の入力を待機する。例えば、検者は表示部１４のタッチパネルを用いて右眼または左眼を入力する。入力があった場合にはステップＳ８０８に進む。
ステップＳ８０８では、制御部１３は入力された右眼または左眼の情報をメモリ１３２または記録媒体に記録した画像データに関連付けて記録する。
【００３６】
ステップＳ８０９では、制御部１３は入力された情報が右眼か左眼の何れかを判定する。右眼の場合にはステップＳ８１０に進み、左眼の場合にはステップＳ８１１に進む。
ステップＳ８１０では、制御部１３は接眼部位置センサ２２１による検知に基づいて本体部２０に対する接眼部１１の長手方向の端部Ｃｌの位置が眼科測定装置１００の上側であるか下側であるかを判定する。接眼部１１の端部Ｃｌが上側とは接眼部１１の端部Ｃｌが表示部１４側に位置する場合をいい、接眼部１１の端部Ｃｌが下側とは接眼部１１の端部Ｃｌが本体部２０の保持部２１側に位置する場合をいう。下側である場合にはステップＳ８１２に進み、上側である場合にはステップＳ８１３に進む。
また、ステップＳ８１１でも、制御部１３は接眼部位置センサ２２１による検知に基づいて本体部２０に対する接眼部１１の長手方向の端部Ｃｌの位置が上側であるか下側であるかを判定する。上側である場合にはステップＳ８１２に進み、下側である場合にはステップＳ８１３に進む。
【００３７】
ステップＳ８１２では、制御部１３は被検眼Ｅの画像を右方向に９０°回転させて、表示部１４に表示する。
一方、ステップＳ８１３では、制御部１３は被検眼Ｅの画像を左方向に９０°回転させて、表示部１４に表示する。
【００３８】
図９は、検者が仰臥する被検者の側面から測定している状態（図７（ｂ））を示す図である。
図９（ａ）および図９（ｂ）は、仰臥する被検者の右側面から測定している状態を示す図である。図９（ａ）では検者が右眼である旨を入力し、接眼部１１の長手方向の端部Ｃｌの位置が装置の下側である。したがって、制御部１３は、被検眼Ｅの画像を右方向に９０°回転して、表示部１４に表示する。一方、図９（ｂ）では検者が左眼である旨を入力し、接眼部１１の長手方向の端部Ｃｌの位置が装置の上側である。したがって、制御部１３は、被検眼Ｅの画像を右方向に９０°回転して、表示部１４に表示する。
図９（ｃ）および図９（ｄ）は、仰臥する被検者の左側面から測定している状態を示す図である。図９（ｃ）では検者が左眼である旨を入力し、接眼部１１の長手方向の端部Ｃｌの位置が装置の下側である。したがって、制御部１３は、被検眼Ｅの画像を左方向に９０°回転して、表示部１４に表示する。一方、図９（ｄ）では検者が右眼である旨を入力し、接眼部１１の長手方向の端部Ｃｌの位置が装置の上側である。したがって、制御部１３は、被検眼Ｅの画像を左方向に９０°回転して、表示部１４に表示する。
【００３９】
図１０は、図９（ａ）〜図９（ｄ）について、接眼部１１の長手方向の端部Ｃｌの位置と、検者による右眼または左眼の入力と、表示部１４における画像の回転方向との対応付けを示した図である。なお、メモリ１３２または記録媒体には図１０に示すような対応付けのテーブルが記録され、制御部１３はテーブルを参照することで被検眼Ｅの画像の回転方向を決定することができる。
このように、画像を回転して表示部１４に表示することにより、仰臥する被検者を側面から測定した場合であっても、被検眼像を検者に正対して表示することができ、適正な測定を行うことができる。
【００４０】
なお、制御部１３は接眼部位置センサ２２１により接眼部１１の長手方向の端部Ｃｌの位置が装置の上側または下側であることを検知した場合、画像データに関連付けて仰臥する被検者に対して撮影した旨の情報を記録してもよい。
また、制御部１３は姿勢センサ２２２により眼科測定装置１００の姿勢を検知することができる。すなわち、制御部１３は姿勢センサ２２２により本体部２０の垂直軸Ａが重力方向の鉛直軸に略直交することを検知したり、光軸Ｏ２が重力方向の鉛直軸に対して略平行であるかを検知したりすることで、仰臥する被検者に対して測定したことを判定できる。したがって、制御部１３は、姿勢センサ２２２により装置の姿勢を検知することで、画像データに関連付けて、仰臥する被検者に対して撮影した旨の情報を記録することができる。この場合には、仰臥する被検者に対し保持部２１が被検者の腹部の方向の場合でも、仰臥する被検者に対して撮影した旨の情報を記録することができる。
このように、仰臥する被検者に対して撮影した旨の情報と画像データとを関連付けて記録することで、制御部１３が画像データを表示する場合に画像データと共に、仰臥する被検者に対して撮影した旨の情報も表示部１４に表示することができる。したがって、検者は記録された画像データが仰臥する被検者に対して撮影したものであることを識別することができる。
【００４１】
このように、本実施形態によれば、接眼部１１が検者の選択により被検眼Ｅの右眼および左眼の何れか一方の周辺に当接可能であることから、被検者の左右眼それぞれの周辺に接眼部１１を好適に当接させることができる。したがって、被検者の顔に対して装置を安定して保つことができる。
また、接眼部１１は、本体部２０に対して回動または左右にスライドさせるなどの簡単な動作で、被検眼Ｅの右眼および左眼への対応を切り換えることができる。
また、メモリ１３２または記録媒体は、測定部１２により撮影された被検眼Ｅの画像と、接眼部位置センサ２２１により検知された接眼部１１の位置とを関連付けて記録する。したがって、検者は記録した被検眼Ｅの画像を再生するときに記録された画像が右眼または左眼の何れであるかを判断することができる。
また、表示部１４は接眼部位置センサ２２１により検知された接眼部１１の位置に基づいて被検眼Ｅの画像が右眼または左眼であるかを表示する。したがって、検者は表示部１４に表示された画像が右眼または左眼の何れであるかを識別することができる。
【００４２】
また、接眼部位置センサ２２１により検知された接眼部１１の位置に基づいて被検眼Ｅが右眼または左眼かを検者に入力させるユーザインターフェースを有する。したがって、仰臥する被検者に対して被検者の側面から被検眼Ｅを撮影した場合であっても、検者に被検眼Ｅが右眼か左眼かを入力させることで、測定部１２により撮影された被検眼Ｅの画像と、当該画像が右眼か左眼かの情報とを関連付けて記録することができる。
また、接眼部位置センサ２２１により検知された接眼部１１の位置と、ユーザインターフェースで入力された情報とに基づいて被検眼Ｅの画像などを右方向または左方向に回転して表示する。したがって、仰臥する被検者に対して被検者の側面から被検眼Ｅを撮影した場合であっても、検者に対して被検眼Ｅの画像を正対して表示することができる。
また、姿勢センサ２２２により検知された眼科測定装置１００の姿勢に基づいて、測定部１２により撮影された被検眼Ｅの画像と、仰臥する被検者に対して撮影した旨の情報と、を関連付けて記録する。したがって、検者は記録した被検眼Ｅの画像が仰臥する被検者に対して撮影したものであることを識別することができる。
【００４３】
以上、本発明を種々の実施形態と共に説明したが、本発明はこれらの実施形態にのみ限定されるものではなく、本発明の範囲内で変更などが可能であり、上述した実施形態を適時組み合わせてもよい。
例えば、上述した実施形態では、接眼部１１は連結部１１１を介して本体部２０に連接される場合について説明したが、この場合に限られず、接眼部１１が直接、本体部２０に連接されていてもよい。
また、接眼部１１が本体部２０に対して回動する構成は、接眼部１１が連結部１１１に対して回動する構成であってもよく、一体的に構成した接眼部１１と連結部１１１を本体部２０に対して回動する構成であってもよい。
【００４４】
また、本発明は、以下の処理を実行することによっても実現される。すなわち、上述した実施形態の機能を実現するプログラムを、ネットワークまたは各種記録媒体を介して眼科測定装置１００に供給し、眼科測定装置１００のコンピュータ（またはＣＰＵなど）がプログラムを読み出して実行する処理である。
【符号の説明】
【００４５】
１００：眼科測定装置  １１：接眼部  １２：測定部  １３：制御部  １４：表示部  ２０：本体部  ２１：保持部  ２２１：接眼部位置センサ  ２２２：姿勢センサ
【図１】
2015229022.tif 000003
【図２】
2015229022.tif 000004
【図３】
2015229022.tif 000005
【図４】
2015229022.tif 000006
【図５】
2015229022.tif 000007
【図６】
2015229022.tif 000008
【図７】
2015229022.tif 000009
【図８】
2015229022.tif 000010
【図９】
2015229022.tif 000011
【図１０】
2015229022.tif 000012